(57)【要約】      （修正有）【課題】電力量計の幅方向にスライドする挟持部により、電力量計の幅に依存せず、多種の電力量計に設置すること。【解決手段】電力使用量を計測する電力量計１００の複数の端子からなる端子部１２０において、端子部を覆うカバーを外して端子に所定の作業をするときに、複数の端子の間での短絡を防止する短絡防止具であって、電力量計１００の両側部を挟持する一対の挟持部材２０と、電力量計１００の両側部の間の距離に応じて、両側部を挟持できるように、一対の挟持部材２０の距離を調整する調整部材３０と、調整部材３０に接続されて、複数の端子を個別に露出させる作業窓４２を有し、端子部１２０を覆う保護部材４０とを備える。【選択図】図３
2018059769.tif 000002
【特許請求の範囲】
【請求項１】
電力使用量を計測する電力量計の複数の端子からなる端子部において、前記端子部を覆うカバーを外して前記端子に所定の作業をするときに、前記複数の端子の間での短絡を防止する短絡防止具であって、
前記電力量計の両側部を挟持する一対の挟持部材と、
前記電力量計の両側部の間の距離に応じて、前記両側部を挟持できるように、前記一対の挟持部材の距離を調整する調整部材と、
前記調整部材に接続されて、前記複数の端子を個別に露出させる作業窓を有し、前記端子部を覆う保護部材と、
を備えることを特徴とする短絡防止具。
【請求項２】
前記調整部材は、前記一対の挟持部材の距離を調整するように、一方の前記挟持部材に接続される第１スライド部材と、他方の前記挟持部材に接続されて、前記第１スライド部材に対して摺動する第２スライド部材と、前記保護部材に接続されるとともに、前記第１スライド部材と前記第２スライド部材を摺動可能に連結する連結部材と、で構成される
ことを特徴とする請求項１に記載の短絡防止具。
【請求項３】
前記第１スライド部材の前記第２スライド部材との接触面には、凸部または凹部のいずれか一方が形成され、前記第２スライド部材の前記第１スライド部材との接触面には、前記第１スライド部材の長手方向に沿って摺動するように、前記凸部または前記凹部の他方が形成される
ことを特徴とする請求項２に記載の短絡防止具。
【請求項４】
前記電力量計は、挿入孔を有し、
前記連結部材は、前記電力量計に固定されるように、前記挿入孔に嵌り合う突起部を有する
ことを特徴とする請求項２又は請求項３に記載の短絡防止具。
【発明の詳細な説明】
【技術分野】
【０００１】
本発明は、短絡防止具に関する。
【背景技術】
【０００２】
例えば、電力量計の端子部の配線作業における短絡を防止する短絡防止具が知られている。（例えば特許文献１）。
【先行技術文献】
【特許文献】
【０００３】
【特許文献１】特許第５８４０８１７号
【発明の概要】
【発明が解決しようとする課題】
【０００４】
スマートメーターなどの電力量計には、電圧が印加される端子部が設けられている。端子部には、電力ケーブルが接続されている。作業員は、送電停止の処理をする際に、端子部から電力ケーブルを取り外す作業をする。その際、作業員は、端子部の端子間に導電材料を接触させてしまい、所謂短絡を生じさせることがあった。また、作業員自身が端子部に接触することにより感電する虞があった。
【０００５】
そこで、端子部への作業をするときに、作業員は、端子部を絶縁材料で覆うことができる保護具を活用している。保護具の一例として、例えば特許文献１に係る発明が開示されている。特許文献１に係る発明は、短絡事故を防止するために、端子部を覆う短絡防止部材である。当該短絡防止部材は、端子部を側面から挟む挟持部を有し、端子部に対向する基部に歯部を設けて構成されている。しかし、当該短絡防止部材では、挟持部の挟持できる幅の範囲が狭く、設置できる電力量計が限られるため、作業に支障をきたす虞があった。
【課題を解決するための手段】
【０００６】
前述した課題を解決する主たる本発明は、電力使用量を計測する電力量計の複数の端子からなる端子部において、前記端子部を覆うカバーを外して前記端子に所定の作業をするときに、前記複数の端子の間での短絡を防止する短絡防止具であって、前記電力量計の両側部を挟持する一対の挟持部材と、前記電力量計の両側部の間の距離に応じて、前記両側部を挟持できるように、前記一対の挟持部材の距離を調整する調整部材と、前記調整部材に接続されて、前記複数の端子を個別に露出させる作業窓を有し、前記端子部を覆う保護部材と、を備えることを特徴とする。
【０００７】
本発明の他の特徴については、添付図面及び本明細書の記載により明らかとなる。
【発明の効果】
【０００８】
本発明によれば、電力量計の幅方向にスライドする挟持部を備えることにより、電力量計の幅に依存せず、多種の電力量計に設置することができる。
【図面の簡単な説明】
【０００９】
【図１】本実施形態に係る短絡防止具の一例を示す正面図である。
【図２】本実施形態に係る短絡防止具の一例を示す側面図である。
【図３】本実施形態に係る短絡防止具の一例を示す分解斜視図である。
【図４】本実施形態に係る挟持部材の一例を示す五面図である。
【図５】本実施形態に係る調整部材の第１スライド部材および第２スライド部材の一例を示す二面図である。
【図６】本実施形態に係る調整部材の連結部材の一例を示す五面図である。
【図７】本実施形態に係る保護部材の一例を示す二面図である。
【図８】その他の実施形態に係る調整部材の一例を示す正面図である。
【図９】その他の実施形態に係る調整部材の一例を示す側面図である。
【図１０】その他の実施形態に係る調整部材の一例を示す側面図である。
【図１１】本実施形態に係るスマートメーターの一例を示す斜視図である。
【図１２】本実施形態に係るスマートメーターの一例を示す正面図である。
【発明を実施するための形態】
【００１０】
本明細書および添付図面の記載により、少なくとも以下の事項が明らかとなる。
【００１１】
なお、以下説明において、Ｘ軸はスマートメーター１００（電力量計）が設置された状態におけるスマートメーター１００の前背面の方向に沿う軸であり、Ｙ軸はスマートメーター１００が設置された状態における鉛直方向に沿う軸であり、Ｚ軸はスマートメーター１００が設置された状態におけるスマートメーター１００の幅方向に沿う軸である。また、図１〜図１２において、同一の部材については同一の数字を付して説明する。
【００１２】
また、Ｘ軸に沿う方向を「Ｘ方向」と示し、Ｙ軸に沿う方向を「Ｙ方向」と示し、Ｚ軸に沿う方向を「Ｚ方向」と示すこともある。また、「Ｘ方向」、「Ｙ方向」、「Ｚ方向」における夫々の＋側には「＋」を付けて示し、−側には「−」を付けて示すこともある。また、Ｘ軸とＹ軸とを含む平面で区切った断面を「ＸＹ断面」と示すこともある。
【００１３】
＝＝＝スマートメーター１００＝＝＝
以下、図１１、図１２を参照しつつ、本実施形態に係る短絡防止具１０を適用するスマートメーター１００について説明する。図１１は、本実施形態に係るスマートメーター１００の一例を示す斜視図である。図１２は、本実施形態に係るスマートメーター１００の一例を示す正面図である。
【００１４】
スマートメーター１００とは、通信機能を備えた電力量計である。図１１に示すように、スマートメーター１００は、例えば測定機能を備える第１筐体１１０と、複数の端子１２１Ａ，１２１Ｂで構成される端子部１２０と、通信機能を備える第２筐体１３０と、を含んで構成されている。
【００１５】
第１筐体１１０は、例えばスマートメーター１００の上部側（＋Ｙ方向側）に設けられている。第１筐体１１０は、測定部（不図示）が包含されている筐体である。測定部は、例えば端子部１２０の二次側への電力供給における、電流値、電圧値、力率、電力量など（以下、「電気諸量」と称する。）を測定する装置である。第１筐体１１０は、例えば後述する第２筐体１３０の通信部（不図示）と、通信ケーブル１４０を介して通信可能に接続されている。つまり、第１筐体１１０の測定部は、通信部を介して電気諸量を外部のネットワークに出力している。
【００１６】
端子部１２０は、複数の端子１２１Ａ，１２１Ｂで構成されている。図１２に示すように、端子部１２０は、例えばスマートメーター１００の下部側（−Ｙ方向側）に設けられている。また、端子部１２０は、例えば第１筐体１１０から凹むように奥まって設けられている。例えば、端子部１２０の一次側の端子１２１Ａには、配電線から分岐された電力ケーブルが接続される。例えば、端子部１２０の二次側の端子１２１Ｂには、負荷設備が接続される。つまり、通常の運用状況において、端子部１２０には１００Ｖまたは２００Ｖ系統の電圧が印加されている。
【００１７】
第２筐体１３０は、通信部が包含されている筐体である。通信部は、電気諸量を外部に伝送するために、外部のネットワークと接続されている。第２筐体１３０の通信部は、例えば第１筐体１１０の測定部（不図示）と、通信ケーブル１４０を介して通信可能に接続されている。第２筐体１３０は、例えば端子部１２０が隠れるように配置されている。第２筐体１３０は、例えばスマートメーター１００の挿入孔１０１と嵌り合う突出部１３１を有する。通常の運用状況において、第２筐体１３０は、スマートメーター１００の挿入孔１０１に突出部１３１が嵌合して固定されている。図示していないが、通常の運用状況では、第２筐体１３０は、例えば絶縁性の防護カバー（不図示）で覆われている。防護カバーは、第２筐体１３０および端子部１２０を覆うように設けられている。充電されている端子部１２０に、人やモノが接触するのを防止するためである。
【００１８】
スマートメーター１００の管理者は、端子部１２０に電力ケーブルを着脱する作業（以下、「配線作業」と称する。）を行う。管理者は、端子部１２０に配線作業するとき、防護カバーを外す。さらに、端子部１２０を露出させるために、第２筐体１３０をスマートメーター１００から取り外す。管理者は、配線作業をする際に、ドライバーなどの作業工具により端子間を短絡させてしまうことがある。
【００１９】
そこで、スマートメーター１００から第２筐体１３０を取り外した状態において、管理者の配線作業による端子間の短絡を防止するために、短絡防止具１０をスマートメーター１００の端子部１２０に配置する。以下、短絡防止具１０について、詳細に説明をする。
【００２０】
＝＝＝短絡防止具１０＝＝＝
図１〜図７を参照しつつ、本実施形態に係る短絡防止具１０について説明する。図１、本実施形態に係る短絡防止具１０の一例を示す正面図である。図２は、本実施形態に係る短絡防止具１０の一例を示す側面図である。図３は、本実施形態に係る短絡防止具１０の一例を示す分解斜視図である。図４は、本実施形態に係る挟持部材２０の一例を示す五面図である。図５は、本実施形態に係る調整部材３０の第１スライド部材３１および第２スライド部材３２の一例を示す二面図である。図６は、本実施形態に係る調整部材３０の連結部材３３の一例を示す五面図である。図７は、本実施形態に係る保護部材４０の一例を示す二面図である。
【００２１】
なお、図４には（Ａ）〜（Ｅ）が示される。図４（Ａ）は挟持部材２０の一方の側面を示す第１側面図である。図４（Ｂ）は挟持部材２０の他方の側面を示す第２側面図である。図４（Ｃ）は挟持部材２０の背面を示す背面図である。図４（Ｄ）は挟持部材２０の正面を示す正面図である。図４（Ｅ）は挟持部材２０の上面を示す上面図である。
【００２２】
また、図５には（Ａ）〜（Ｄ）が示される。図５（Ａ）は第１スライド部材３１の正面を示す正面図である。図５（Ｂ）は第１スライド部材３１の側面を示す側面図である。第５（Ｃ）は第２スライド部材３２の正面を示す正面図である。図５（Ｄ）は第２スライド部材３２の側面を示す側面図である。
【００２３】
また、図６には（Ａ）〜（Ｄ）が示される。図６（Ａ）は連結部材３３の上面を示す上面図である。図６（Ｂ）は連結部材３３の下面を示す下面図である。図６（Ｃ）は連結部材３３の側面を示す側面図である。図６（Ｄ）は連結部材３３の正面を示す正面図である。
【００２４】
また、図７には（Ａ），（Ｂ）が示される。図７（Ａ）は保護部材４０の正面を示す正面図である。図７（Ｂ）は保護部材４０の下面を示す下面図である。
【００２５】
図１、図２に示すように、短絡防止具１０は、スマートメーター１００の両側部を挟持しつつ、露出している端子部１２０を絶縁性部材で覆う道具である。したがって、短絡防止具１０は、例えば、耐久性、耐水性、絶縁性、難燃性を有する材質で形成されている。具体的には、詳細に後述する。短絡防止具１０は、スマートメーター１００の両側部を挟持して固定される。その状態において、短絡防止具１０は、端子部１２０をカバーするように絶縁保護する。また、短絡防止具１０は、管理者が配線作業をするための作業窓４２を有する。これにより、管理者は作業対象の端子１２０Ａ，１２０Ｂに対して配線作業をしているときに、作業工具を他の端子１２０Ａ，１２０Ｂに接触させないように、所謂短絡を回避しつつ配線作業が可能となる。短絡防止具１０は、スマートメーター１００の幅（Ｚ方向の長さ）に応じて、幅方向（Ｚ方向）の距離を調整できる。これにより、スマートメーター１００の大きさに応じて幅方向の距離を調整しつつ、短絡防止具１０を配置できる。以下、短絡防止具１０の構成について、詳細に説明をする。
【００２６】
＝＝構成＝＝
図３に示すように、短絡防止具１０は、例えば、挟持部材２０と、調整部材３０と、保護部材４０と、を含んで構成される。
【００２７】
＜＜挟持部材２０＞＞
挟持部材２０は、スマートメーター１００の両側部を挟持する部材である。挟持部材２０は、図４において、第１側面図および第２側面図により明らかなように、Ｌ型形状を呈する。また、上面図から明らかなように、幅を有する。挟持部材２０は、その折曲部分から一方の端部に亘る平面がスマートメーター１００の側部と密接する。挟持部材２０は、他方の端部に第１嵌入孔２１を有する。第１嵌入孔２１は、後述する第１スライド部材３１の頭部３１Ａが嵌入される孔である。第１嵌入孔２１の内周面には、例えば滑り止めが設けられる。滑り止めは、例えば内周面に凹凸を設けて形成される。これにより、頭部３１Ａが第１嵌入孔２１から容易に抜け出さないように、嵌入された状態を保持できる。挟持部材２０は、スマートメーター１００の両側部を挟持するために、一対で構成されている。挟持部材２０は、例えば絶縁材料で形成されている。絶縁材料とは、例えばゴム材料や熱可逆性エラストマーなどである。スマートメーター１００を挟持するための摩擦係数および柔軟性を有するためである。
【００２８】
＜＜調整部材３０＞＞
調整部材３０は、例えば、第１スライド部材３１と、第２スライド部材３２と、連結部材３３と、を含んで構成されている。調整部材３０は、第１スライド部材３１、第２スライド部材３２および連結部材３３を組み合わせて、一対の挟持部材２０の間の距離を調整する部材である。調整部材３０は、外力による衝撃に十分耐えられるように、例えばポリカーボネイトやアクリルなどで形成されている。
【００２９】
第１スライド部材３１は、一方の挟持部材２０に接続される部材である。図５に示すように、第１スライド部材３１は、例えば平板形状を呈している。第１スライド部材３１は、例えば、頭部３１Ａおよび脚部３１Ｂを含んで形成されている。頭部３１Ａは、短絡防止具１０を組み立てるときに、挟持部材２０の第１嵌入孔２１に嵌入される部分である。脚部３１Ｂは、頭部３１Ａから二股に分かれるように形成されている部分である。なお、脚部３１Ｂの二股に分かれた間の空間部分を股部３１Ｃとして、以下説明をする。股部３１Ｃには、これと摺動するように後述する第２スライド部材３２が配置される。つまり、第１スライド部材３１の股部３１Ｃの幅（正面図における紙面上の上下方向の長さ）は、第２スライド部材３２の幅（正面図における紙面上の上下方向の長さ）と略等しく形成されている。第１スライド部材３１は、後述する連結部材３３の貫通孔３３Ａに貫入される。第１スライド部材３１の脚部３１Ｂの幅（正面図における紙面上の上下方向の長さ）は、連結部材３３の貫通孔３３Ａの紙面上の上下方向（図６）の長さに略等しく形成されている。また、第１スライド部材３１の厚み（側面図における紙面上の上下方向の長さ）は、連結部材３３の貫通孔３３Ａの紙面上の左右方向（図６）の長さに略等しく形成されている。つまり、第１スライド部材３１は、貫通孔３３Ａの内周面と摺動するように形成されている。
【００３０】
第２スライド部材３２は、他方の挟持部材２０に接続される部材である。図５に示すように、第２スライド部材３２は、例えば平板形状を呈している。第２スライド部材３２の幅（正面図における紙面上の上下方向の長さ）は、例えば、第１スライド部材３１の股部３１Ｃの幅に略等しく形成されている。また、第２スライド部材３２の厚み（側面図における紙面上の上下方向の長さ）は、例えば第１スライド部材３１の厚みに略等しく形成されている。つまり、第２スライド部材３２は、第１スライド部材３１の股部３１Ｃと嵌合する形状を呈する。ただし、第２スライド部材３２と第１スライド部材３１の股部３１Ｃとが嵌合した状態において、第２スライド部材３２における、股部３１Ｃに嵌合している一方の端部とは反対側の他方の端部が、第１スライド部材３１の脚部３１Ｂからはみ出るように形成されている。つまり、第２スライド部材３２の紙面上の左右方向の長さが、第１スライド部材３１の股部３１Ｃの紙面上の左右方向の長さよりも長くなるように形成されている。これにより、第１スライド部材３１の股部３１Ｃに第２スライド部材３２が嵌合した状態において、第２スライド部材３２の他方の端部が、挟持部材２０の第１嵌入孔２１に嵌入できる。したがって、第１スライド部材３１の頭部３１Ａが挟持部材２０の第１嵌入孔２１に嵌入され、第２スライド部材３２が第１スライド部材３１の股部３１Ｃに嵌入されるとともに、第２スライド部材３２の他方の端部が挟持部材２０の第１嵌入孔２１に嵌入された状態において、第１スライド部材３１と第２スライド部材３２が摺動することにより、挟持部材２０の間の距離が変更される。なお、第１スライド部材３１が貫通孔３３Ａの内周面に対して摺動するように形成されていることからもわかるように、第２スライド部材３２は、第１スライド部材３１の股部３１Ｃに嵌合した状態において、貫通孔３３Ａの内周面に対して摺動する。
【００３１】
連結部材３３は、第１スライド部材３１および第２スライド部材３２を摺動可能に連結する部材である。図６に示すように、連結部材３３は、例えば略直方体形状を呈する部材である。側面図に示すように、連結部材３３は、側面の中央部に貫通孔３３Ａを有する。前述したように、貫通孔３３Ａは、紙面上の上下方向において、第１スライド部材３１の脚部３１Ｂの幅と略等しく形成されている。また、貫通孔３３Ａは、紙面上の左右方向において、第１スライド部材３１および第２スライド部材３２の厚みと略等しく形成されている。つまり、貫通孔３３Ａは、第１スライド部材３１の脚部３１Ｂおよび第２スライド部材３２が貫入したときに、夫々が貫通孔３３Ａの内周面と摺動するように形成されている。そして、貫通孔３３Ａの内周面には、例えばゴム製の滑り止めが設けられている。これにより、第１スライド部材３１および第２スライド部材３２との間に強い摩擦力が生じるため、挟持部材２０が挟持した状態を強固に保持することができる。下面図に示すように、連結部材３３は、下面の中央部に第２嵌入孔３３Ｂを有する。第２嵌入孔３３Ｂは、後述する保護部材４０の固定部４１が嵌入される孔である。第２嵌入孔３３Ｂの内周面には、固定部４１が容易に抜け出さないように、例えば滑り止めが設けられる。滑り止めは、例えば内周面に凹凸を設けて形成されている。連結部材３３は、第１スライド部材３１および第２スライド部材３２を連結した状態において、第１スライド部材３１および第２スライド部材３２に沿って摺動できる。つまり、第２嵌入孔３３Ｂに後述する保護部材４０の固定部４１を嵌入させた状態において、第１スライド部材３１および第２スライド部材３２に沿って摺動することにより、保護部材４０の位置を変更できる。これにより、端子部１２０の端子１２１Ａ，１２１Ｂの配置に応じて保護部材４０を配置することが可能になる。上面図に示すように、連結部材３３は、例えば上面の中央部に突起部３３Ｃを有する。突起部３３Ｃは、スマートメーター１００の挿入孔１０１に嵌合する部分である。短絡防止具１０は、突起部３３Ｃを挿入孔１０１と嵌合させることにより、重力方向への落下をより確実に防止できる。
【００３２】
＜＜保護部材４０＞＞
保護部材４０は、スマートメーター１００の端子部１２０を絶縁保護する部材である。保護部材４０は、外力による衝撃に十分耐えられるように、例えばポリカーボネイトやアクリルなどで形成されている。図７に示すように、保護部材４０は、例えば平板形状を呈している。保護部材４０は、例えば正面図における紙面上の上端部に少なくとも一つの固定部４１を有する。固定部４１は、連結部材３３の第２嵌入孔３３Ｂに嵌入される部分である。保護部材４０は、作業窓４２を有する。作業窓４２は、紙面上の前面から背面にかけて貫通する孔である。作業窓４２は、一つの端子が露出する程度の大きさの孔である。保護部材４０は、例えば、単相二線用の作業窓４２Ａと単相三線用の作業窓４２Ｂとを備えていることが好ましい。例えば単相二線用の作業窓４２Ａは隣り合う二つの端子１２１Ａを露出させる孔であり、例えば単相三線用の作業窓４２Ｂは隣り合う三つの端子１２１Ｂのうち両端の端子１２１Ｂを露出させる孔である。保護部材４０は、固定部４１が第２嵌入孔３３Ｂに嵌入された状態において、端子部１２０と対向するように配置される。そして、作業窓４２から端子部１２０の端子１２１Ａ，１２１Ｂを露出させ、その他の充電部をカバーするように設けられる。つまり、保護部材４０は、端子部１２０をカバーできる程度の大きさを有して形成されている。なお、連結部材３３と接続された状態において、保護部材４０は、連結部材３３の移動に伴って端子部１２０と対向する位置を変えることができる。また、短絡防止具１０がスマートメーター１００に設置された状態において、保護部材４０と端子部１２０との間に隙間が設けられるように配置される。保護部材４０が平板形状を呈し、連結部材３３が略直方体形状を呈していることからわかるように、連結部材３３の厚みの分だけ、保護部材４０と端子部１２０との間に隙間が設けられる。これにより、端子部１２０および保護部材４０に付着する雨水や埃などにより生じうる、端子間の短絡を防止することができる。
【００３３】
＝＝使用手順＝＝
図３、図１１を参照しつつ、本実施形態に係る短絡防止具１０の使用手順について、以下のとおり説明する。
【００３４】
作業員は、作業対象のスマートメーター１００を確認する。作業員は、感電を防止するために絶縁手袋を装着する。作業員は、スマートメーター１００の保護カバー（不図示）を取り外す。作業員は、第２筐体１３０および端子部１２０を確認する。図１１に示すように、作業員は、スマートメーター１００の挿入孔１０１から第２筐体１３０の突出部１３１を取り外す。
【００３５】
作業員は、短絡防止具１０の各部材（挟持部材２０、調整部材３０、保護部材４０）を準備する。図３に示すように、作業員は、短絡防止具１０を組み立てる。先ず、一方の挟持部材２０の第２嵌入孔３３Ｂに調整部材３０の第１スライド部材３１の頭部３１Ａを嵌入させる。他方の挟持部材２０の第２嵌入孔３３Ｂに第２スライド部材３２の端部を嵌入させる。次に、第１スライド部材３１の脚部３１Ｂを連結部材３３の貫入孔に貫入させる。第１スライド部材３１の脚部３１Ｂとは反対側から、第２スライド部材３２の端部を貫入孔に貫入させる。このとき、第２スライド部材３２が第１スライド部材３１の股部３１Ｃに嵌合するように貫入させる。この状態において、第１スライド部材３１と第２スライド部材３２とが連結部材３３で連結されるとともに、第１スライド部材３１と第２スライド部材３２との夫々が摺動できる。次に、保護部材４０の固定部４１を連結部材３３の第２嵌入孔３３Ｂに嵌入させる。
【００３６】
作業員は、組み立てられた短絡防止具１０をスマートメーター１００（電力量計）に設置する。先ず、作業員は、スマートメーター１００の端子部１２０と保護部材４０とが重なり合う位置を確認する。その位置において、作業員は、一対の挟持部材２０をスマートメーター１００の両側部に密着させる。なお、スマートメーター１００に挿入孔１０１がある場合には、連結部材３３の突起部３３Ｃが挿入孔１０１に嵌入するように位置を合わせる。次に、一対の挟持部材２０がスマートメーター１００の両側部に強く圧接するように、第１スライド部材３１および第２スライド部材３２を摺動させる。
【００３７】
スマートメーター１００の両側部に短絡防止具１０を挟持させた状態において、作業員は、保護部材４０の作業窓４２から端子部１２０の端子１２１が露出するように、連結部材３３をスライドさせる。この状態において、ドライバーなどの工具を用いた配線作業中に生じうる端子間の短絡事故を防止することができる。なお、保護部材４０に固定部４１が二つ設けられている場合には、連結部材３３を二つ設けることにより、保護部材４０のスライド範囲を広くとれるとともに、端子部１２０の端子１２１Ａ，１２１Ｂの配置や作業窓４２の配置に応じて表裏を反転させて利用することもできる。
【００３８】
尚、上記の実施形態は、本発明の理解を容易にするためのものであり、本発明を限定して解釈するためのものではない。本発明は、その趣旨を逸脱することなく、変更、改良され得るとともに、本発明にはその等価物も含まれる。例えば、以下に示すようなものも含まれる。
【００３９】
＝＝＝その他の実施形態＝＝＝
＜＜挟持部材２０＞＞
上記の説明において、挟持部材２０は、第１嵌入孔２１を有しているとして説明したが、これに限定されない。例えば、図８に示すように、挟持部材２２０は、第１嵌入孔２１の代わりに調整貫通孔２２１を有していてもよい。図８は、その他の実施形態に係る調整部材２３０の一例を示す正面図である。この場合、調整部材２３０は、平板形状の一つのスライド部材２３２および連結部材２３３のみで構成されていてもよい。調整貫通孔２２１の大きさは、スライド部材２３２のＸＹ断面の大きさと略等しく形成されている。つまり、調整貫通孔２２１の内周面とスライド部材２３２とが摺動するように形成されている。また、調整貫通孔２２１の内周面には、滑り止めが設けられていることが好ましい。滑り止めは、例えば内周面に凹凸を設けて形成される。これにより、挟持部材２２０が挟持した状態を強固に保持できる。
【００４０】
＜＜調整部材３０＞＞
上記の説明において、第１スライド部材３１は、頭部３１Ａおよび脚部３１Ｂを含んで形成されているとして説明したが、これに限定されない。第１スライド部材３１は、第２スライド部材３２と同じ平板形状のものでもよい。この場合、第１スライド部材３１と第２スライド部材３２との平面部分を摺動させるように構成することで、一対の挟持部材２０の間の距離が調整できればよい。
【００４１】
上記の説明において、連結部材３３には突起部３３Ｃが設けられているとして説明したが、これに限定されない。突起部３３Ｃは設けられていなくてもよい。挟持部材２０がスマートメーター１００の両側部を挟持することにより固定できるためである。
【００４２】
上記の説明における、第１スライド部材３１および第２スライド部材３２に替えて、図９に示すような、第１スライド部材３３１および第２スライド部材３３２を採用してもよい。図９は、その他の実施形態に係る調整部材３３０の一例を示す側面図である。第１スライド部材３３１の第２スライド部材３３２との接触面には、凸部３３１Ｂ１および凹部３３１Ｂ２が形成され、第２スライド部材３３２の第１スライド部材３３１との接触面には、第１スライド部材３３１の長手方向に沿って摺動するように、凸部３３１Ｂ１および凹部３３１Ｂ２と嵌合する凹部３３２Ｂおよび凸部３３２Ａが形成されていてもよい。これにより、第１スライド部材３３１と第２スライド部材３３２とのＸ方向へのズレを防止できる。
【００４３】
上記の説明において、第１スライド部材３１の厚みと第２スライド部材３２の厚みが略等しくなるように形成されているとして記載したが、これに限定されない。第１スライド部材３１および第２スライド部材３２に替えて、図１０に示すような、第１スライド部材４３１および第２スライド部材４３２を採用してもよい。図１０は、その他の実施形態に係る調整部材４３０の一例を示す側面図である。具体的には、調整部材４３０において、第１スライド部材４３１または第２スライド部材４３２の何れか一方の厚みを他方の厚みよりも大きくして形成するとともに、第１スライド部材４３１または第２スライド部材４３２の少なくとも一方の接触面が他方の部材に向かって盛り上がるように湾曲して形成されていてもよい。より詳細に述べると、例えば、第１スライド部材４３１の厚みよりも第２スライド部材４３２の厚みの方が大きく形成されるとともに、第２スライド部材４３２の接触面が第１スライド部材４３１に向かって湾曲（不図示）している。これにより、第１スライド部材４３１と第２スライド部材４３２との間により大きな摩擦力を生じるため、挟持部材２０の挟持している状態をより強固に保持できる。
【００４４】
＜＜保護部材４０＞＞
上記の説明において、単相二線用の作業窓４２Ａと、単相三線用の作業窓４２Ｂとを備えていることが好ましいとして記載したが、これに限定されない。作業窓４２の配置は、限定されるものではなく、端子部１２０の端子１２１Ａ，１２１Ｂに対して電力ケーブルの配線作業ができればよいため、少なくとも１つ以上設けられていればよい。
【００４５】
上記の説明において、固定部４１は少なくとも一つ設けられるとして説明したが、二つ設けられていてもよい。この場合、二つの連結部材３３を設けることができるため、第１スライド部材３１と第２スライド部材３２とをより強固に密着できるため、挟持部材２０の挟持状態をより強固に保持することができる。また、異なる二箇所において保護部材４０を配置することができるため作業性が向上する。
【００４６】
＝＝＝まとめ＝＝＝
以上説明したように、本実施形態に係る短絡防止具１０は、電力使用量を計測するスマートメーター１００（電力量計）の複数の端子１２１Ａ，１２１Ｂからなる端子部１２０において、端子部１２０を覆うカバーを外して端子１２１Ａ，１２１Ｂに所定の作業をするときに、複数の端子１２１Ａ，１２１Ｂの間での短絡を防止する短絡防止具１０であって、スマートメーター１００（電力量計）の両側部を挟持する一対の挟持部材２０と、スマートメーター１００（電力量計）の両側部の間の距離に応じて、両側部を挟持できるように、一対の挟持部材２０の距離を調整する調整部材３０と、調整部材３０に接続されて、複数の端子１２１Ａ，１２１Ｂを個別に露出させる作業窓４２Ａ，４２Ｂを有し、端子部１２０を覆う保護部材４０とを備えることを特徴とする。本実施形態によれば、スマートメーター１００の種々の大きさ（幅）に応じて、短絡防止具１０を調整することができるため、製作コストの低減および作業効率の向上が図れる。
【００４７】
又、本実施形態に係る短絡防止具１０において、調整部材３０は、一対の挟持部材２０の距離を調整するように、一方の挟持部材２０に接続される第１スライド部材３１と、他方の挟持部材２０に接続されて、第１スライド部材３１に対して摺動する第２スライド部材３２と、保護部材４０に接続されるとともに、第１スライド部材３１と第２スライド部材３２を摺動可能に連結する連結部材３３と、で構成されることを特徴とする。本実施形態によれば、第１スライド部材３１、第２スライド部材３２および連結部材３３における夫々に摩擦力がかかる状態で、短絡防止具１０を強固に挟持しつつ、第１スライド部材３１および第２スライド部材３２を摺動できるため、脱落の危険性を低減するとともに作業の安全性の向上が図れる。
【００４８】
又、本実施形態に係る短絡防止具１０において、図９に示すように、第１スライド部材３３１の第２スライド部材３３２との接触面には、凸部または凹部のいずれか一方が形成され、第２スライド部材３３２の第１スライド部材３３１との接触面には、第１スライド部材３３１の長手方向に沿って摺動するように、凸部または凹部の他方が形成されていることを特徴とする。本実施形態によれば、第１スライド部材３３１および第２スライド部材３３２における夫々に摩擦力がかかる状態で、短絡防止具１０を強固に挟持しつつ、第１スライド部材３３１および第２スライド部材３３２を摺動できるため、脱落の危険性を低減するとともに作業の安全性の向上が図れる。
【００４９】
又、本実施形態に係る短絡防止具１０において、スマートメーター１００（電力量計）は、挿入孔１０１を有し、連結部材３３は、スマートメーター１００（電力量計）に固定されるように、挿入孔１０１に嵌り合う突起部３３Ｃを有することを特徴とする。本実施形態によれば、短絡防止具１０をスマートメーター１００に確実に固定できるため、作業の安全性の向上が図れる。
【符号の説明】
【００５０】
１０    短絡防止具
２０    挟持部材
３０    調整部材
３１，３３１    第１スライド部材
３２，３３２    第２スライド部材
３３    連結部材
３３Ｃ    突起部
４０    保護部材
４２Ａ，４２Ｂ    作業窓
１００    スマートメーター
１０１    挿入孔
１２０    端子部
１２１Ａ，１２１Ｂ    端子
【図１】
2018059769.tif 000003
【図２】
2018059769.tif 000004
【図３】
2018059769.tif 000005
【図４】
2018059769.tif 000006
【図５】
2018059769.tif 000007
【図６】
2018059769.tif 000008
【図７】
2018059769.tif 000009
【図８】
2018059769.tif 000010
【図９】
2018059769.tif 000011
【図１０】
2018059769.tif 000012
【図１１】
2018059769.tif 000013
【図１２】
2018059769.tif 000014